(57)【要約】      （修正有）【課題】物流管理システムにおいて、小型半導体タグを用いた物流管理方法を提供する。【解決手段】出荷者から中間者を経て受領者に至るまでの物流データを記録する物流管理システムであって、半導体用ＩＤが格納されたメモリ２３を有し、物品２に貼付される小型半導体１と、情報通信ネットワーク１１を介して互いに通信可能な、前記ＩＤを読み取る読み取り手段３、５、７を備えた出荷者、中間者、及び受領者用情報処理装置４、６、８と、物流データを保存するデータベース９を備えたサーバ１０とを備えてなる。サーバは、半導体用ＩＤをそれぞれの情報処理装置から受信し、前記ＩＤに対応する物品について、出荷者、中間者、及び受領者のＩＤとそれぞれのアクセスに関する情報とを対応させて物流データとし、物流ファイルの一部又は全ての物流データをそれぞれの情報処理装置に送信可能としてなる。【選択図】        図１
2004210543.tif 000002
【特許請求の範囲】
【請求項１】
出荷者から中間者を経て受領者に至るまでの物品の流通に関する物流データを記録する物流管理システムであって、
前記物品には、半導体用ＩＤが格納された読み取り専用メモリを有する小型半導体が貼付され、
前記物流管理システムは、
情報通信ネットワークを介して互いに通信可能な、
前記半導体用ＩＤを読み取る読み取り手段を備えた出荷者用情報処理装置と、
前記半導体用ＩＤを読み取る読み取り手段を備えた中間者用情報処理装置と、
前記半導体用ＩＤを読み取る読み取り手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システム。
【請求項２】
出荷者から中間者を経て受領者に至るまでの物品の流通に関する物流データを記録する物流管理システムであって、
前記物品には、半導体用ＩＤが格納された読み取り専用メモリ、及び少なくとも前記中間者によるアクセス情報が記録される書き込み可能メモリを有する小型半導体が添付され、
前記物流管理システムは、
情報通信ネットワークを介して互いに通信可能な、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前期物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システム。
【請求項３】
前記小型半導体の前記読み取り専用メモリはＲＯＭであることを特徴とする請求項１又は２に記載の物流管理システム。
【請求項４】
前記小型半導体の前記書き込み可能メモリはＲＡＭであることを特徴とする請求項２に記載の物流管理システム。
【請求項５】
前記物流データは、前記データベースにおいて暗号化されてなることを特徴とする請求項１乃至４のいずれかに記載の物流管理システム。
【請求項６】
前記物品は、１又は複数の商品を格納する容器であることを特徴とする請求項１乃至５のいずれかに記載の物流管理システム。
【請求項７】
前記１又は複数の商品には、それぞれ商品用ＩＤが読み取り可能な商品用タグが貼付されるとともに、前記容器には前記半導体用ＩＤが読み取り可能な前記小型半導体が貼付され、前記商品用ＩＤは、該当の前記商品が格納される前記容器に貼付される前記小型半導体の前記半導体用ＩＤに対応付けられていることを特徴とする請求項６に記載の物流管理システム。
【請求項８】
前記商品用タグは、前記商品用ＩＤが格納されたメモリを有する小型半導体であることを特徴とする請求項７に記載の物流管理システム。
【請求項９】
前記サーバは、前記物品の流通に関する物流データ、及び／又は、前記商品に関する情報のホームページをディスプレイに表示させるためのリソースを記憶しており、前記商品用ＩＤは、前記ホームページのＵＲＬであることを特徴とする請求項７に記載の物流管理システム。
【請求項１０】
前記小型半導体は、前記物品又は前記商品の流通に関する情報を処理するための情報処理部をさらに有してなることを特徴とする請求項１乃至９のいずれかに記載の物流管理システム。
【請求項１１】
出荷者から中間者を経て受領者に至るまでの物品の流通に関する物流データを記録する物流管理システムに用いられる小型半導体であって、
前記小型半導体は、半導体用ＩＤが格納された読み取り専用メモリを有し、前記物品に貼付され、
前記物流管理システムは、
情報通信ネットワークを介して互いに通信可能な、
前記半導体用ＩＤを読み取る読み取り手段を備えた出荷者用情報処理装置と、
前記半導体用ＩＤを読み取る読み取り手段を備えた中間者用情報処理装置と、
前記半導体用ＩＤを読み取る読み取り手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる小型半導体。
【請求項１２】
出荷者から中間者を経て受領者に至るまでの物品の流通に関する物流データを記録する物流管理システムに用いられる小型半導体であって、
前記小型半導体は、半導体用ＩＤが格納された読み取り専用メモリ、及び少なくとも前記中間者によるアクセス情報が記録される書き込み可能メモリを有し、前記物品に貼付され、
前記物流管理システムは、
情報通信ネットワークを介して互いに通信可能な、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる小型半導体。
【請求項１３】
前記読み取り専用メモリはＲＯＭであることを特徴とする請求項１１又は１２に記載の物流管理システムに用いられる小型半導体。
【請求項１４】
前記書き込み可能メモリはＲＡＭであることを特徴とする請求項１２に記載の物流管理システムに用いられる小型半導体。
【請求項１５】
前記物流データは、前記データベースにおいて暗号化されてなることを特徴とする請求項１１乃至１４のいずれかに記載の物流管理システムに用いられる小型半導体。
【請求項１６】
前記物品は、１又は複数の商品を格納する容器であることを特徴とする請求項１１乃至１５のいずれかに記載の物流管理システムに用いられる小型半導体。
【請求項１７】
前記１又は複数の商品が格納される前記容器に貼付され、読み取り可能な前記半導体用ＩＤと、該当の前記商品のそれぞれに貼付された商品用タグにおいて読み取り可能な商品用ＩＤとが対応付けられている、
ことを特徴とする請求項１６に記載の物流管理システムに用いられる小型半導体。
【請求項１８】
前記商品用タグは、前記商品用ＩＤが格納されたメモリを有する小型半導体であることを特徴とする請求項１７に記載の物流管理システムに用いられる小型半導体。
【請求項１９】
前記サーバは、前記物品の流通に関する物流データ、及び／又は、前記商品に関する情報のホームページをディスプレイに表示させるためのリソースを記憶しており、前記商品用ＩＤは、前記ホームページのＵＲＬであることを特徴とする請求項１７に記載の物流管理システムに用いられる小型半導体。
【請求項２０】
前記物品又は前記商品の流通に関する情報を処理するための情報処理部をさらに有してなることを特徴とする請求項１１乃至１９のいずれかに記載の物流管理システムに用いられる小型半導体。
【請求項２１】
出荷者から中間者を経て受領者に至るまでの物品の流通に関する物流データを記録する物流管理システムに用いられる出荷者用情報処理装置であって、
前記物品には、半導体用ＩＤが格納された読み取り専用メモリを有する小型半導体が貼付され、
前記出荷者用情報処理装置は、前記半導体用ＩＤを読み取る読み取り手段を備え、
前記物流管理システムは、
情報通信ネットワークを介して互いに通信可能な、
前記出荷者用情報処理装置と、
前記半導体用ＩＤを読み取る読み取り手段を備えた中間者用情報処理装置と、
前記半導体用ＩＤを読み取る読み取り手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について当該出荷者用ＩＤと前記アクセスに関する情報とを対応させて前記物流データとし、
前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる出荷者用情報処理装置。
【請求項２２】
出荷者から中間者を経て受領者に至るまでの物品の流通に関する物流データを記録する物流管理システムに用いられる出荷者用情報処理装置であって、
前記物品には、半導体用ＩＤが格納された読み取り専用メモリ、及び少なくとも前記中間者によるアクセス情報が記録される書き込み可能メモリを有する小型半導体が貼付され、
前記出荷者用情報処理装置は、前記読み取り専用メモリ及び前記書き込み可能メモリから前記半導体用ＩＤ及び前記アクセス情報を読み取り、前記書き込み可能メモリの前記アクセス情報を更新する読み書き手段を備え、
前記物流管理システムは、
情報通信ネットワークを介して互いに通信可能な、
前記出荷者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる出荷者用情報処理装置。
【請求項２３】
前記小型半導体の前記読み取り専用メモリはＲＯＭであることを特徴とする請求項２１又は２２に記載の物流管理システムに用いられる出荷者用情報処理装置。
【請求項２４】
前記小型半導体の前記書き込み可能メモリはＲＡＭであることを特徴とする請求項２２に記載の物流管理システムに用いられる出荷者用情報処理装置。
【請求項２５】
前記物流データは、前記データベースにおいて暗号化されてなることを特徴とする請求項２１乃至２４のいずれかに記載の物流管理システムに用いられる出荷者用情報処理装置。
【請求項２６】
前記物品は、１又は複数の商品を格納する容器であることを特徴とする請求項２１乃至２５のいずれかに記載の物流管理システムに用いられる出荷者用情報処理装置。
【請求項２７】
前記１又は複数の商品には、それぞれ商品用ＩＤが読み取り可能な商品用タグが貼付されるとともに、前記容器には前記半導体用ＩＤが読み取り可能な前記小型半導体が貼付され、前記商品用ＩＤは、該当の前記商品が格納される前記容器に貼付される前記小型半導体の前記半導体用ＩＤに対応付けられていることを特徴とする請求項２６に記載の物流管理システムに用いられる出荷者用情報処理装置。
【請求項２８】
前記商品用タグは、前記商品用ＩＤが格納されたメモリを有する小型半導体であることを特徴とする請求項２７に記載の物流管理システムに用いられる出荷者用情報処理装置。
【請求項２９】
前記サーバは、前記物品の流通に関する物流データ、及び／又は、前記商品に関する情報のホームページをディスプレイに表示させるためのリソースを記憶しており、前記商品用ＩＤは、前記ホームページのＵＲＬであることを特徴とする請求項２７に記載の物流管理システムに用いられる出荷者用情報処理装置。
【請求項３０】
前記小型半導体は、前記物品又は前記商品の流通に関する情報を処理するための情報処理部をさらに有してなることを特徴とする請求項２１乃至２９のいずれかに記載の物流管理システムに用いられる出荷者用情報処理装置。
【請求項３１】
出荷者から中間者を経て受領者に至るまでの物品の流通に関する物流データを記録する物流管理システムに用いられる中間者用情報処理装置であって、
前記物品には、半導体用ＩＤが格納された読み取り専用メモリを有する小型半導体が貼付され、
前記中間者用情報処理装置は、前記半導体用ＩＤを読み取る読み取り手段を備え、
前記物流管理システムは、
情報通信ネットワークを介して互いに通信可能な、
前記半導体用ＩＤを読み取る読み取り手段を備えた出荷者用情報処理装置と、
前記中間者用情報処理装置と、
前記半導体用ＩＤを読み取る読み取り手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる中間者用情報処理装置。
【請求項３２】
出荷者から中間者を経て受領者に至るまでの物品の流通に関する物流データを記録する物流管理システムに用いられる中間者用情報処理装置であって、
前記物品には、半導体用ＩＤが格納された読み取り専用メモリ、及び少なくとも前記中間者によるアクセス情報が記録される書き込み可能メモリを有する小型半導体が貼付され、
前記中間者用情報処理装置は、前記読み取り専用メモリ及び前記書き込み可能メモリから前記半導体用ＩＤ及び前記アクセス情報を読み取り、前記書き込み可能メモリの前記アクセス情報を更新する読み書き手段を備え、
前記物流管理システムは、
情報通信ネットワークを介して互いに通信可能な、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、
前記中間者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる中間者用情報処理装置。
【請求項３３】
前記小型半導体の前記読み取り専用メモリはＲＯＭであることを特徴とする請求項３１又は３２に記載の物流管理システムに用いられる中間者用情報処理装置。
【請求項３４】
前記小型半導体の前記書き込み可能メモリはＲＡＭであることを特徴とする請求項３２に記載の物流管理システムに用いられる中間者用情報処理装置。
【請求項３５】
前記物流データは、前記データベースにおいて暗号化されてなることを特徴とする請求項３１乃至３４のいずれかに記載の物流管理システムに用いられる中間者用情報処理装置。
【請求項３６】
前記物品は、１又は複数の商品を格納する容器であることを特徴とする請求項３１乃至３５のいずれかに記載の物流管理システムに用いられる中間者用情報処理装置。
【請求項３７】
前記１又は複数の商品には、それぞれ商品用ＩＤが読み取り可能な商品用タグが貼付されるとともに、前記容器には前記半導体用ＩＤが読み取り可能な前記小型半導体が貼付され、前記商品用ＩＤは、該当の前記商品が格納される前記容器に貼付される前記小型半導体の前記半導体用ＩＤに対応付けられていることを特徴とする請求項３６に記載の物流管理システムに用いられる中間者用情報処理装置。
【請求項３８】
前記商品用タグは、前記商品用ＩＤが格納されたメモリを有する小型半導体であることを特徴とする請求項３７に記載の物流管理システムに用いられる中間者用情報処理装置。
【請求項３９】
前記サーバは、前記物品の流通に関する物流データ、及び／又は、前記商品に関する情報のホームページをディスプレイに表示させるためのリソースを記憶しており、前記商品用ＩＤは、前記ホームページのＵＲＬであることを特徴とする請求項３７に記載の物流管理システムに用いられる中間者用情報処理装置。
【請求項４０】
前記小型半導体は、前記物品又は前記商品の流通に関する情報を処理するための情報処理部をさらに有してなることを特徴とする請求項３１乃至３９のいずれかに記載の物流管理システムに用いられる中間者用情報処理装置。
【請求項４１】
出荷者から中間者を経て受領者に至るまでの物品の流通に関する物流データを記録する物流管理システムに用いられる受領者用情報処理装置であって、
前記物品には、半導体用ＩＤが格納された読み取り専用メモリを有する小型半導体が貼付され、
前記受領者用情報処理装置は、前記半導体用ＩＤを読み取る読み取り手段を備え、
前記物流管理システムは、
情報通信ネットワークを介して互いに通信可能な、
前記半導体用ＩＤを読み取る読み取り手段を備えた出荷者用情報処理装置と、
前記半導体用ＩＤを読み取る読み取り手段を備えた中間者用情報処理装置と、
前記受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる受領者用情報処理装置。
【請求項４２】
出荷者から中間者を経て受領者に至るまでの物品の流通に関する物流データを記録する物流管理システムに用いられる受領者用情報処理装置であって、
前記物品には、半導体用ＩＤが格納された読み取り専用メモリ、及び少なくとも前記中間者によるアクセス情報が記録される書き込み可能メモリを有する小型半導体が貼付され、
前記受領者用情報処理装置は、前記読み取り専用メモリ及び前記書き込み可能メモリから前記半導体用ＩＤ及び前記アクセス情報を読み取り、前記書き込み可能メモリの前記アクセス情報を更新する読み書き手段を備え、
前記物流管理システムは、
情報通信ネットワークを介して互いに通信可能な、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、
前記受領者用情報処理装置と、
前記物流データを保存するデータベースを有するサーバとを備えてなり、
前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられる受領者用情報処理装置。
【請求項４３】
前記小型半導体の前記読み取り専用メモリはＲＯＭであることを特徴とする請求項４１又は４２に記載の物流管理システムに用いられる受領者用情報処理装置。
【請求項４４】
前記小型半導体の前記書き込み可能メモリはＲＡＭであることを特徴とする請求項４２に記載の物流管理システムに用いられる受領者用情報処理装置。
【請求項４５】
前記物流データは、前記データベースにおいて暗号化されてなることを特徴とする請求項４１乃至４４のいずれかに記載の物流管理システムに用いられる受領者用情報処理装置。
【請求項４６】
前記物品は、１又は複数の商品を格納する容器であることを特徴とする請求項４１乃至４５のいずれかに記載の物流管理システムに用いられる受領者用情報処理装置。
【請求項４７】
前記１又は複数の商品には、それぞれ商品用ＩＤが読み取り可能な商品用タグが貼付されるとともに、前記容器には前記半導体用ＩＤが読み取り可能な前記小型半導体が貼付され、前記商品用ＩＤは、該当の前記商品が格納される前記容器に貼付される前記小型半導体の前記半導体用ＩＤに対応付けられていることを特徴とする請求項４６に記載の物流管理システムに用いられる受領者用情報処理装置。
【請求項４８】
前記商品用タグは、前記商品用ＩＤが格納されたメモリを有する小型半導体であることを特徴とする請求項４７に記載の物流管理システムに用いられる受領者用情報処理装置。
【請求項４９】
前記サーバは、前記物品の流通に関する物流データ、及び／又は、前記商品に関する情報のホームページをディスプレイに表示させるためのリソースを記憶しており、前記商品用ＩＤは、前記ホームページのＵＲＬであることを特徴とする請求項４７に記載の物流管理システムに用いられる受領者用情報処理装置。
【請求項５０】
前記小型半導体は、前記物品又は前記商品の流通に関する情報を処理するための情報処理部をさらに有してなることを特徴とする請求項４１乃至４９のいずれかに記載の物流管理システムに用いられる受領者用情報処理装置。
【請求項５１】
出荷者から中間者を経て受領者に至るまでの物品の流通に関する物流データを記録する物流管理システムに用いられるサーバであって、
前記物品には、半導体用ＩＤが格納された読み取り専用メモリを有する小型半導体が貼付され、
前記サーバは、前記物流データを保存するデータベースを有し、
前記物流管理システムは、
情報通信ネットワークを介して互いに通信可能な、
前記半導体用ＩＤを読み取る読み取り手段を備えた出荷者用情報処理装置と、
前記半導体用ＩＤを読み取る読み取り手段を備えた中間者用情報処理装置と、
前記半導体用ＩＤを読み取る読み取り手段を備えた受領者用情報処理装置と、
前記サーバとを備え、
前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられるサーバ。
【請求項５２】
出荷者から中間者を経て受領者に至るまでの物品の流通に関する物流データを記録する物流管理システムに用いられるサーバであって、
前記物品には、半導体用ＩＤが格納された読み取り専用メモリ、及び少なくとも前記中間者によるアクセス情報が記録される書き込み可能メモリを有する小型半導体が貼付され、
前記サーバは、前記物流データを保存するデータベースを有し、
前記物流管理システムは、
情報通信ネットワークを介して互いに通信可能な、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、
前記サーバとを備え、
前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理システムに用いられるサーバ。
【請求項５３】
前記小型半導体の前記読み取り専用メモリはＲＯＭであることを特徴とする請求項５１又は５２に記載の物流管理システムに用いられるサーバ。
【請求項５４】
前記小型半導体の前記書き込み可能メモリはＲＡＭであることを特徴とする請求項５２に記載の物流管理システムに用いられるサーバ。
【請求項５５】
前記物流データは、前記データベースにおいて暗号化されてなることを特徴とする請求項５１乃至５４のいずれかに記載の物流管理システムに用いられるサーバ。
【請求項５６】
前記物品は、１又は複数の商品を格納する容器であることを特徴とする請求項５１乃至５５のいずれかに記載の物流管理システムに用いられるサーバ。
【請求項５７】
前記１又は複数の商品には、それぞれ商品用ＩＤが読み取り可能な商品用タグが貼付されるとともに、前記容器には前記半導体用ＩＤが読み取り可能な前記小型半導体が貼付され、前記商品用ＩＤは、該当の前記商品が格納される前記容器に貼付される前記小型半導体の前記半導体用ＩＤに対応付けられていることを特徴とする請求項５６に記載の物流管理システムに用いられるサーバ。
【請求項５８】
前記商品用タグは、前記商品用ＩＤが格納されたメモリを有する小型半導体であることを特徴とする請求項５７に記載の物流管理システムに用いられるサーバ。
【請求項５９】
前記物品の流通に関する物流データ、及び／又は、前記商品に関する情報のホームページをディスプレイに表示させるためのリソースを記憶しており、
前記商品用ＩＤは、前記ホームページのＵＲＬである、
ことを特徴とする請求項５７に記載の物流管理システムに用いられるサーバ。
【請求項６０】
前記小型半導体は、前記物品又は前記商品の流通に関する情報を処理するための情報処理部をさらに有してなることを特徴とする請求項５１乃至５９のいずれかに記載の物流管理システムに用いられるサーバ。
【請求項６１】
請求項２１に記載の前記出荷者用情報処理装置に備えられた前記読み取り手段として用いられる物流管理システム向け小型半導体用リーダ。
【請求項６２】
請求項３１に記載の前記中間者用情報処理装置に備えられた前記読み取り手段として用いられる物流管理システム向け小型半導体用リーダ。
【請求項６３】
請求項４１に記載の前記受領者用情報処理装置に備えられた前記読み取り手段として用いられる物流管理システム向け小型半導体用リーダ。
【請求項６４】
請求項２２に記載の前記出荷者用情報処理装置に備えられた前記読み書き手段として用いられる物流管理システム向け小型半導体用リーダライタ。
【請求項６５】
請求項３２に記載の前記中間者用情報処理装置に備えられた前記読み書き手段として用いられる物流管理システム向け小型半導体用リーダライタ。
【請求項６６】
請求項４２に記載の前記受領者用情報処理装置に備えられた前記読み書き手段として用いられる物流管理システム向け小型半導体用リーダライタ。
【請求項６７】
出荷者から中間者を経て受領者に至るまでの物品の流通に関する物流データを記録する物流管理システムに用いられる物流管理方法であって、
前記物品には、半導体用ＩＤが格納された読み取り専用メモリを有する小型半導体が貼付され、
前記物流管理システムは、
情報通信ネットワークを介して互いに通信可能な、
前記半導体用ＩＤを読み取る読み取り手段を備えた出荷者用情報処理装置と、
前記半導体用ＩＤを読み取る読み取り手段を備えた中間者用情報処理装置と、
前記半導体用ＩＤを読み取る読み取り手段を備えた受領者用情報処理装置と、
前記物流データを保存するデータベースとを備え、
前記出荷者に対応付けられた出荷者用ＩＤによって前記出荷者用情報処理装置からアクセスされた前記サーバは、前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
前記中間者に対応付けられた中間者用ＩＤによって前記中間者用情報処理装置からアクセスされた前記サーバは、前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、
前記受領者に対応付けられた受領者用ＩＤによって前記受領者用情報処理装置からアクセスされた前記サーバは、前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能とする、
ことを特徴とする物流管理方法。
【請求項６８】
出荷者から中間者を経て受領者に至るまでの物品の流通に関する物流データを記録する物流管理システムに用いられる物流管理方法であって、
前記物品には、半導体用ＩＤが格納された読み取り専用メモリ、及び少なくとも前記中間者によるアクセス情報が記録される書き込み可能メモリを有する小型半導体が貼付され、
前記物流管理システムは、
情報通信ネットワークを介して互いに通信可能な、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、
前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、
前記物流データを保存するデータベースとを備え、
前記出荷者に対応付けられた出荷者用ＩＤによって前記出荷者用情報処理装置からアクセスされた前記サーバは、前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、
少なくとも前記中間者用情報処理装置は、前記読み書き手段によって、前記書き込み可能メモリの前記アクセス情報を更新し、
前記中間者に対応付けられた中間者用ＩＤによって前記中間者用情報処理装置からアクセスされた前記サーバは、前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、
前記受領者に対応付けられた受領者用ＩＤによって前記受領者用情報処理装置からアクセスされた前記サーバは、前記半導体用ＩＤを受信し、前記データベースにおいて前記半導体用ＩＤに対応する前記物品に関する一部又は全ての前記物流データを少なくとも前記受領者用情報処理装置に送信可能とする、
ことを特徴とする物流管理方法。
【発明の詳細な説明】
【０００１】
【発明の属する技術分野】
本発明は、物流管理システム、物流管理システムに用いられる小型半導体、出荷者用情報処理装置、中間者用情報処理装置、受領者用情報処理装置、サーバ、小型半導体用リーダ、及び小型半導体用リーダライタ、並びに物流管理方法に関する。
【０００２】
【従来の技術】
一般に、経済活動においては、農産物、水産物、これらの加工品、工業製品等の供給者（以下、「生産業者」という。）と、このような物品を仕入れて販売する販売業者又は物品を購入する消費者との間に、物品の適切な仕分け、輸送、保管等に携わる流通業者が介在する。近年、市場に出回る物品の多様性に応じて、この物品に係る物流の専門性が高まっている。例えば、食品を冷凍状態で陸上運輸、空中輸送、一時保管等する場合、この食品は、冷凍コンテナ業者、トラック業者、冷凍庫を所有する倉庫業者といった、それぞれの業務に専門性を有する複数の流通業者の手を経る可能性がある。物品が生産業者から販売業者又は消費者に届くまでに、多くの流通業者の手を経ることが少なくない。
【０００３】
販売業者や消費者にとって、手元に届けられた物品が、彼等の知る生産業者から然るべき流通業者の手を経て供給されたものであるか否かを、物品毎に実際に追跡して確認することは困難であり、現実的ではない。
【０００４】
流通業者の誤配や未納品といったミスを効率的に発見することに関しては、物品に電子タグを貼付して、これに物流情報を記録するシステムが開示されている（例えば、特許文献１参照。）。この開示によれば、物流における上流側事業者が物品情報を記録したタグを貼付した物品を出荷し、下流側事業者がこれを受領する。この時、下流側事業者は、タグの情報を確認後に、受領サインとしての識別コード等をタグに書き込んで、このタグのみを上流側事業者に回送する。これによって、物品が、物流の上流から下流に流れたことが確認できるが、このような確認は、やはり、物品の出荷者と受領者とが二重チェックする手間及び相互の信頼関係によって可能となっている。
【０００５】
一方、市場経済における昨今の規制緩和傾向によって、様々な新規参入の流通業者が物流を仲介し得る傾向にあり、これにともなって流通業界におけるコスト削減競争も激化する傾向にある。従って、過去の物流実績に裏打ちされた信頼関係のみに基づくのではなく、設定コスト及び物流の内容に基づいて、様々な流通業者がその都度選定される気運が高まっている。
【０００６】
【特許文献１】
特開２００２−８７５３２号公報
【０００７】
【発明が解決しようとする課題】
もし、前述のような多面的な要素に基づいて選定された新規参入の流通業者との取引実績が少ない場合、販売業者又は消費者にとっては、このような流通業者が絶対に不正を行なわないと保証したり確信したりすることは困難である。このような状況では、流通業者は、物品が経るべき他の流通業者を飛ばしたり（中抜き）、生産業者が物品に貼付した印刷表示を偽造したり（不正表示）して、不正な利益を得ることが原理的には可能である。このような不正行為によって、物流費用をうかしたり、実際は低価格な物品を高価格な物品として卸して差益を得たりできる。例えば、食肉流通業界における不正表示は、未だに耳新しい事件である。
【０００８】
前述の電子タグを商品に貼付するシステムを物流に導入したとしても、例えば、タグが偽造されれば、このようなシステムは機能しなくなるため、流通業者の不正が発覚し、これを追跡できるようなシステムにはなり得ない。
【０００９】
本発明は、前記事情に鑑みてなされたものであって、その目的は、物流管理システム、物流管理システムに用いられる小型半導体、出荷者用情報処理装置、中間者用情報処理装置、受領者用情報処理装置、サーバ、小型半導体用リーダ、及び小型半導体用リーダライタ、並びに物流管理方法を提供することにある。
【００１０】
【課題を解決するための手段】
出荷者から中間者を経て受領者に至るまでの物品の流通に関する物流データを記録する物流管理システムであって、前記物品には、半導体用ＩＤが格納された読み取り専用メモリを有する小型半導体が貼付され、前記物流管理システムは、情報通信ネットワークを介して互いに通信可能な、前記半導体用ＩＤを読み取る読み取り手段を備えた出荷者用情報処理装置と、前記半導体用ＩＤを読み取る読み取り手段を備えた中間者用情報処理装置と、前記半導体用ＩＤを読み取る読み取り手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００１１】
また、出荷者から中間者を経て受領者に至るまでの物品の流通に関する物流データを記録する物流管理システムであって、前記物品には、半導体用ＩＤが格納された読み取り専用メモリ、及び少なくとも前記中間者によるアクセス情報が記録される書き込み可能メモリを有する小型半導体が添付され、前記物流管理システムは、情報通信ネットワークを介して互いに通信可能な、前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前期物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００１２】
ここで、前記半導体用ＩＤが格納された読み取り専用メモリを有する小型半導体とは、当該半導体用ＩＤのデータが記憶された読み取り専用メモリを有する小型半導体のことである。また、この前記小型半導体は、前記半導体用ＩＤを読み取り可能な小型半導体のことでもある。
【００１３】
【発明の実施の形態】
＝＝＝開示の概要＝＝＝
次の開示により少なくとも次のことが明らかになる。
前記の物流管理システムによれば、前記物品に貼付された前記小型半導体の前記読み取り専用メモリに記憶された前記半導体用ＩＤによって、前記物品が特定される。従って、前記中間者の前記小型半導体へのアクセス情報が、前記中間者の前記物品に対するアクセス情報となる。
【００１４】
また、前記の物流管理システムによれば、前記物品に貼付されるべき前記小型半導体の前記読み取り専用メモリに記憶された前記半導体用ＩＤの読み取りにより、前記中間者の前記サーバへのアクセスに関する情報が前記物流データとして前記サーバの前記データベースに保存されることと、前記小型半導体の前記書き込み可能メモリへの前記中間者によるアクセス情報が記録されることとによって、前記中間者の前記物品に対するアクセス情報を前記データベース及び前記小型半導体の両方に保存できる。従って、前記物流データベース及び前記小型半導体の両方を、例えば前記受領者によって発覚されないように改ざん及び偽造することは困難であるため、物流において前記物品の不正表示を行なうことも同様に困難となる。
【００１５】
さらに、前記中間者の一部に中抜き等の不正があった場合、前記物流データベース及び前記書き込み可能メモリに保存されるべきそれぞれのアクセス情報の少なくとも一方が抜ける。このことにより不正が発覚し、前記抜かれた中間者が判明する。
【００１６】
加えて、前記小型半導体の前記書き込み可能メモリの記録又は前記サーバの前記データベースにおける当該小型半導体が貼付された物品の物流データをリセットすれば、前記小型半導体を他の物流に再利用できる。このため、物流コストの削減及び環境破壊をし難い物流が可能となる。
【００１７】
尚、前記小型半導体の前記読み取り専用メモリはＲＯＭであってもよい。
【００１８】
また、前記小型半導体の前記書き込み可能メモリはＲＡＭであってもよい。
【００１９】
さらに、前記物流データは、前記データベースにおいて暗号化されてなってもよい。
【００２０】
このような暗号化により、前記データベースに保存されるべき物流データを、前記サーバの外部にて改ざんすることは極めて困難となる。
【００２１】
尚、前記の物流管理システムにおいては、前記物品は、１又は複数の商品を格納する容器であってもよい。また、前記１又は複数の商品には、それぞれ商品用ＩＤが読み取り可能な商品用タグが貼付されるとともに、前記容器には前記半導体用ＩＤが読み取り可能な前記小型半導体が貼付され、前記商品用ＩＤは、該当の前記商品が格納される前記容器に貼付される前記小型半導体の前記半導体用ＩＤに対応付けられてもよい。該当の前記商品とは、前記商品用ＩＤを有する前記商品用タグが貼付された前記商品のことである。ここで、前記容器とは、例えばパレットや手袋も含む。前記容器が例えばパレットの場合、前記１又は複数の商品を格納することは、当該パレットの搬送単位分の当該１又は複数の商品をまとめることと等価である。また、前記容器が例えば手袋の場合、前記１又は複数の商品を格納することは、当該手袋の１掴み単位分の当該１又は複数の商品をまとめることと等価である。
【００２２】
従って、前記の物流管理システムによれば、前記各商品の前記商品用タグの前記商品用ＩＤは、当該商品が格納された前記容器に対応する前記半導体用ＩＤと対応付けられている。つまり、前記商品用ＩＤを参照すれば、該当の半導体用ＩＤを知得でき、当該半導体用ＩＤが読み取り可能となっている前記小型半導体が貼付された前記容器を検知できる。よって、例えば前記物品が物流の追跡の困難な多数の前記商品からなる場合でも、前記商品用ＩＤを参照することによって、当該各商品について少なくとも前記容器の流通に関する物流データを得ることができる。従って、物流管理の大規模化を実現できる。また、前記複数の商品の流通に関する物流データを、例えば１つの前記容器に貼付される１つの前記小型半導体から得ることができる。これにより、前記複数の商品の流通の管理にあたり、当該各商品に関する複数の物流データを得る必要がなく、当該商品を格納する例えば前記１つの容器の流通に関する物流データを得るだけで済む。さらに、例えば前記多数の商品の流通を前記１つの容器の流通に関する物流データに基づいて管理できるために、前記サーバによって処理されるべき物流データが縮小される。よって、前記サーバの負担が低減されるとともに、前記物流データを記憶させる前記データベースに必要な容量等も低減される。従って、物流管理の高効率化及び低コスト化が実現できる。また、例えば、前記容器が前記商品の包装紙であって、当該包装紙が取り除かれて当該商品のみが販売される場合でも、当該商品に貼付された前記商品用タグにて読み取り可能な前記商品用ＩＤを参照することによって、当該商品の流通に関する物流データを得ることができる。尚、前記容器に貼付される前記小型半導体は、当該容器から取り外し可能であってもよい。例えば、前記容器に格納された前記１又は複数の商品が、当該容器から取り出されて個別に販売される場合を考える。この場合、例えば販売業者が、前記小型半導体を手元において前記個別の商品のもとで当該商品に貼付された前記商品用タグにて読み取り可能な前記商品用ＩＤと、当該小型半導体にて読み取り可能な前記半導体用ＩＤとの対応付けを容易に確認できる。
【００２３】
また、前記物流管理システムにおいては、前記商品用タグは、前記商品用ＩＤが格納されたメモリを有する小型半導体であってもよい。
【００２４】
従って、前記の物流管理システムによれば、例えば前記商品用タグとしての前記小型半導体を限られたコストで複製することは困難である。よって、例えば前記物流管理システムの外部において前記商品用ＩＤが格納されたメモリを有する前記小型半導体を偽造することは困難である。従って、例えば前記各商品用タグの偽造は困難であるために、物流管理の信頼性がより向上する。また、例えば、前記商品用タグとしての前記小型半導体を、前記商品用ＩＤを参照するためのものとすれば、前述と同様に物流管理の高効率化及び低コスト化が実現できる。
【００２５】
さらに、前記物流管理システムにおいては、前記サーバは、前記物品の流通に関する物流データ、及び／又は、前記商品に関する情報のホームページをディスプレイに表示させるためのリソースを記憶しており、前記商品用ＩＤは、前記ホームページのＵＲＬであってもよい。
【００２６】
従って、前記の物流管理システムによれば、例えば前記各商品に対応する前記ＵＲＬを前記サーバに送信することによって、当該商品に対応する前記物品の物流データ、及び／又は、前記商品に関する情報の前記ホームページを前記ディスプレイに表示させることができる。つまり、前記商品に対応する前記物品の物流データ、及び／又は、前記商品に関する情報を前記サーバから容易に得ることができ、物流管理の高効率化を実現できる。
【００２７】
加えて、前記物流管理システムにおいては、前記小型半導体は、前記物品又は前記商品の流通に関する情報を処理するための情報処理部をさらに有してなってもよい。
【００２８】
従って、前記物流管理システムにおいては、例えば前記物品に貼付された前記小型半導体又は前記商品に貼付された前記小型半導体は、当該商品に対応する当該物品の物流データの情報処理を行うことができる。よって、前記物流データの情報処理を行う前記サーバの負担が低減され、物流管理の高効率化が実現できる。
【００２９】
出荷者から中間者を経て受領者に至るまでの物品の流通に関する物流データを記録する物流管理システムに用いられる小型半導体であって、前記小型半導体は、半導体用ＩＤが格納された読み取り専用メモリを有し、前記物品に貼付され、前記物流管理システムは、情報通信ネットワークを介して互いに通信可能な、前記半導体用ＩＤを読み取る読み取り手段を備えた出荷者用情報処理装置と、前記半導体用ＩＤを読み取る読み取り手段を備えた中間者用情報処理装置と、前記半導体用ＩＤを読み取る読み取り手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３０】
出荷者から中間者を経て受領者に至るまでの物品の流通に関する物流データを記録する物流管理システムに用いられる小型半導体であって、前記小型半導体は、半導体用ＩＤが格納された読み取り専用メモリ、及び少なくとも前記中間者によるアクセス情報が記録される書き込み可能メモリを有し、前記物品に貼付され、前記物流管理システムは、情報通信ネットワークを介して互いに通信可能な、前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３１】
出荷者から中間者を経て受領者に至るまでの物品の流通に関する物流データを記録する物流管理システムに用いられる出荷者用情報処理装置であって、前記物品には、半導体用ＩＤが格納された読み取り専用メモリを有する小型半導体が貼付され、前記出荷者用情報処理装置は、前記半導体用ＩＤを読み取る読み取り手段を備え、前記物流管理システムは、情報通信ネットワークを介して互いに通信可能な、前記出荷者用情報処理装置と、前記半導体用ＩＤを読み取る読み取り手段を備えた中間者用情報処理装置と、前記半導体用ＩＤを読み取る読み取り手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について当該出荷者用ＩＤと前記アクセスに関する情報とを対応させて前記物流データとし、前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３２】
出荷者から中間者を経て受領者に至るまでの物品の流通に関する物流データを記録する物流管理システムに用いられる出荷者用情報処理装置であって、前記物品には、半導体用ＩＤが格納された読み取り専用メモリ、及び少なくとも前記中間者によるアクセス情報が記録される書き込み可能メモリを有する小型半導体が貼付され、前記出荷者用情報処理装置は、前記読み取り専用メモリ及び前記書き込み可能メモリから前記半導体用ＩＤ及び前記アクセス情報を読み取り、前記書き込み可能メモリの前記アクセス情報を更新する読み書き手段を備え、前記物流管理システムは、情報通信ネットワークを介して互いに通信可能な、前記出荷者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３３】
出荷者から中間者を経て受領者に至るまでの物品の流通に関する物流データを記録する物流管理システムに用いられる中間者用情報処理装置であって、前記物品には、半導体用ＩＤが格納された読み取り専用メモリを有する小型半導体が貼付され、前記中間者用情報処理装置は、前記半導体用ＩＤを読み取る読み取り手段を備え、前記物流管理システムは、情報通信ネットワークを介して互いに通信可能な、前記半導体用ＩＤを読み取る読み取り手段を備えた出荷者用情報処理装置と、前記中間者用情報処理装置と、前記半導体用ＩＤを読み取る読み取り手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３４】
出荷者から中間者を経て受領者に至るまでの物品の流通に関する物流データを記録する物流管理システムに用いられる中間者用情報処理装置であって、前記物品には、半導体用ＩＤが格納された読み取り専用メモリ、及び少なくとも前記中間者によるアクセス情報が記録される書き込み可能メモリを有する小型半導体が貼付され、前記中間者用情報処理装置は、前記読み取り専用メモリ及び前記書き込み可能メモリから前記半導体用ＩＤ及び前記アクセス情報を読み取り、前記書き込み可能メモリの前記アクセス情報を更新する読み書き手段を備え、前記物流管理システムは、情報通信ネットワークを介して互いに通信可能な、前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、前記中間者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３５】
出荷者から中間者を経て受領者に至るまでの物品の流通に関する物流データを記録する物流管理システムに用いられる受領者用情報処理装置であって、前記物品には、半導体用ＩＤが格納された読み取り専用メモリを有する小型半導体が貼付され、前記受領者用情報処理装置は、前記半導体用ＩＤを読み取る読み取り手段を備え、前記物流管理システムは、情報通信ネットワークを介して互いに通信可能な、前記半導体用ＩＤを読み取る読み取り手段を備えた出荷者用情報処理装置と、前記半導体用ＩＤを読み取る読み取り手段を備えた中間者用情報処理装置と、前記受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３６】
出荷者から中間者を経て受領者に至るまでの物品の流通に関する物流データを記録する物流管理システムに用いられる受領者用情報処理装置であって、前記物品には、半導体用ＩＤが格納された読み取り専用メモリ、及び少なくとも前記中間者によるアクセス情報が記録される書き込み可能メモリを有する小型半導体が貼付され、前記受領者用情報処理装置は、前記読み取り専用メモリ及び前記書き込み可能メモリから前記半導体用ＩＤ及び前記アクセス情報を読み取り、前記書き込み可能メモリの前記アクセス情報を更新する読み書き手段を備え、前記物流管理システムは、情報通信ネットワークを介して互いに通信可能な、前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、前記受領者用情報処理装置と、前記物流データを保存するデータベースを有するサーバとを備えてなり、前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３７】
出荷者から中間者を経て受領者に至るまでの物品の流通に関する物流データを記録する物流管理システムに用いられるサーバであって、前記物品には、半導体用ＩＤが格納された読み取り専用メモリを有する小型半導体が貼付され、前記サーバは、前記物流データを保存するデータベースを有し、前記物流管理システムは、情報通信ネットワークを介して互いに通信可能な、前記半導体用ＩＤを読み取る読み取り手段を備えた出荷者用情報処理装置と、前記半導体用ＩＤを読み取る読み取り手段を備えた中間者用情報処理装置と、前記半導体用ＩＤを読み取る読み取り手段を備えた受領者用情報処理装置と、前記サーバとを備え、前記出荷者に対応付けられた出荷者用ＩＤによって前記出荷者用情報処理装置からアクセスされた前記サーバは、前記出荷者用情報処理装置の前記読み取り手段によって前記小型半導体から読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、前記中間者に対応付けられた中間者用ＩＤによって前記中間者用情報処理装置からアクセスされた前記サーバは、前記中間者用情報処理装置の前記読み取り手段によって前記小型半導体から読み取られた前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記受領者用情報処理装置の前記読み取り手段によって前記小型半導体から読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３８】
出荷者から中間者を経て受領者に至るまでの物品の流通に関する物流データを記録する物流管理システムに用いられるサーバであって、前記物品には、半導体用ＩＤが格納された読み取り専用メモリ、及び少なくとも前記中間者によるアクセス情報が記録される書き込み可能メモリを有する小型半導体が貼付され、前記サーバは、前記物流データを保存するデータベースを有し、前記物流管理システムは、情報通信ネットワークを介して互いに通信可能な、前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、前記サーバとを備え、前記出荷者に対応付けられた出荷者用ＩＤによって前記出荷者用情報処理装置からアクセスされた前記サーバは、前記読み書き手段によって前記小型半導体の前記読み取り専用メモリから読み取られた前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記読み書き手段によって前記小型半導体の前記読み取り専用メモリ及び前記書き込み可能メモリから読み取られた前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記読み書き手段によって前記小型半導体の前記読み取り専用メモリから読み取られた前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００３９】
物流管理システム向け小型半導体用リーダであって、前記出荷者用情報処理装置に備えられた前記読み取り手段として用いられてなる。
【００４０】
物流管理システム向け小型半導体用リーダであって、前記中間者用情報処理装置に備えられた前記読み取り手段として用いられてなる。
【００４１】
物流管理システム向け小型半導体用リーダであって、前記受領者用情報処理装置に備えられた前記読み取り手段として用いられてなる。
【００４２】
物流管理システム向け小型半導体用リーダライタであって、前記出荷者用情報処理装置に備えられた前記読み書き手段として用いられてなる。
【００４３】
物流管理システム向け小型半導体用リーダライタであって、前記中間者用情報処理装置に備えられた前記読み書き手段として用いられてなる。
【００４４】
物流管理システム向け小型半導体用リーダライタであって、前記受領者用情報処理装置に備えられた前記読み書き手段として用いられてなる。
【００４５】
出荷者から中間者を経て受領者に至るまでの物品の流通に関する物流データを記録する物流管理システムに用いられる物流管理方法であって、前記物品には、半導体用ＩＤが格納された読み取り専用メモリを有する小型半導体が貼付され、前記物流管理システムは、情報通信ネットワークを介して互いに通信可能な、前記半導体用ＩＤを読み取る読み取り手段を備えた出荷者用情報処理装置と、前記半導体用ＩＤを読み取る読み取り手段を備えた中間者用情報処理装置と、前記半導体用ＩＤを読み取る読み取り手段を備えた受領者用情報処理装置と、前記物流データを保存するデータベースとを備え、前記出荷者に対応付けられた出荷者用ＩＤによって前記出荷者用情報処理装置からアクセスされた前記サーバは、前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、前記中間者に対応付けられた中間者用ＩＤによって前記中間者用情報処理装置からアクセスされた前記サーバは、前記半導体用ＩＤを前記中間者用情報処理装置から受信し、前記データベースにおいて前記半導体用ＩＤに対応する前記物品について前記中間者用ＩＤと前記アクセスに関する情報とを対応させて前記物流データとし、前記受領者に対応付けられた受領者用ＩＤによって前記受領者用情報処理装置からアクセスされた前記サーバは、前記半導体用ＩＤを前記受領者用情報処理装置から受信し、前記データベースにおいて前記半導体用ＩＤに対応する前記物品に関する一部又は全ての前記物流データを少なくとも前記受領者用情報処理装置に送信可能としてなる。
【００４６】
出荷者から中間者を経て受領者に至るまでの物品の流通に関する物流データを記録する物流管理システムに用いられる物流管理方法であって、前記物品には、半導体用ＩＤが格納された読み取り専用メモリ、及び少なくとも前記中間者によるアクセス情報が記録される書き込み可能メモリを有する小型半導体が貼付され、前記物流管理システムは、情報通信ネットワークを介して互いに通信可能な、前記読み取り専用メモリ及び前記書き込み可能メモリから前記半導体用ＩＤ及び前記アクセス情報を読み取り、前記書き込み可能メモリの前記アクセス情報を更新する読み書き手段を備えた出荷者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた中間者用情報処理装置と、前記読み取り専用メモリ及び前記書き込み可能メモリから前記半導体用ＩＤ及び前記アクセス情報を読み取り、前記書き込み可能メモリの前記アクセス情報を更新する読み書き手段を備えた受領者用情報処理装置と、前記物流データを保存するデータベースとを備え、前記出荷者に対応付けられた出荷者用ＩＤによって前記出荷者用情報処理装置からアクセスされた前記サーバは、前記半導体用ＩＤを前記出荷者用情報処理装置から受信し、前記データベースにおいて前記半導体用ＩＤに対応する前記物品について前記出荷者用ＩＤと前記アクセスに関する情報とを対応させて前記物流データとし、少なくとも前記中間者用情報処理装置は、前記読み書き手段によって、前記書き込み可能メモリの前記アクセス情報を更新し、前記中間者に対応付けられた中間者用ＩＤによって前記中間者用情報処理装置からアクセスされた前記サーバは、前記半導体用ＩＤ及び前記アクセス情報を前記中間者用情報処理装置から受信し、前記データベースにおいて前記半導体用ＩＤに対応する前記物品について前記中間者用ＩＤと前記アクセスに関する情報とを対応させて前記書き込み可能メモリの前記アクセス情報とともに前記物流データとし、前記受領者に対応付けられた受領者用ＩＤによって前記受領者用情報処理装置からアクセスされた前記サーバは、前記半導体用ＩＤを受信し、前記データベースにおいて前記半導体用ＩＤに対応する前記物品に関する一部又は全ての前記物流データを少なくとも前記受領者用情報処理装置に送信可能としてなる。
【００４７】
＝＝＝物流管理システムの構成＝＝＝
農産物が生産業者（出荷者）によって生産され、出荷されてから、販売業者（受領者）に納品されるまでに、流通業者（中間者）によって運搬される物流システムに、本発明が適用された場合の実施の形態について説明する。
【００４８】
図１を参照しつつ、本実施の形態における物流管理システムの全体構成を説明する。
本実施の形態のシステムは、マイクロチップ１（小型半導体）が貼付された農産物２と、マイクロチップ１に対してリーダライタ３（読み書き手段）を介して情報を読み書きする端末をなす生産業者用携帯電話機４（生産業者用情報処理装置）と、マイクロチップ１に対してリーダライタ５を介して情報を読み書きする端末をなす流通業者用携帯電話機６（中間者用情報処理装置）と、マイクロチップ１に対してリーダライタ７を介して情報を読み書きする端末をなす販売業者用携帯電話機８（受領者用情報処理装置）と、各業者（生産業者、流通業者、販売業者）における情報を保存するデータベース９を備え、また各業者にこのデータベース９内の情報を提供する物流管理者の有するサーバ１０とから構成されており、各業者の携帯電話機（生産業者用携帯電話機、流通業者用携帯電話機、販売業者用携帯電話機）４、６、８は、インターネット１１（情報通信ネットワーク）を介してサーバ１０と通信可能となっている。
【００４９】
図２に示されるように、マイクロチップ１は、マイクロチップ１自身を識別するチップＩＤ及び各業者によるマイクロチップ１へのアクセス記録をリーダライタ３、５、７との間で送受信するアンテナ２２とを備えている。アンテナ２２は、リーダライタ３、５、７からの起動用電波を受信するとともに、その起動用電波に対する応答用電波を送信するために設けられている。マイクロチップ１は、さらに、チップＩＤが記憶される１２８ビットのＲＯＭ２３（読み取り専用メモリ）と、各業者のリーダライタ３、５、７によるアクセス回数の総計が更新されつつ記憶される３ビットのＲＡＭ２４（書き込み可能メモリ）との他に、起動用電波及び応答用電波の送受信動作を行なう送受信部２５と、アンテナ２２が受信した起動用電波を電力に変換してマイクロチップ１の電源に供する電源回路２６とを備えている。さらにこの送受信部２５は、受信した起動用電波を復調する受信回路２７と、この復調信号に応答してＲＯＭ２３及びＲＡＭ２４にアクセスする制御回路２８と、この制御回路がＲＯＭ２３及びＲＡＭ２４から読み出した情報を変調してアンテナ２２から応答用電波として送信する送信回路２９とを含んだ構成を有している。
【００５０】
ここで、マイクロチップ１には、例えば、農産物２の表面に強力に接着される粘着手段が設けられていてもよい。また、この粘着手段は、一旦剥離されると再度使用できない構造を有していてもよい。このような構造により、例えば生産業者によって農産物２に貼付されたマイクロチップ１が当該農産物から剥離された場合、このマイクロチップ１を前記剥離が発覚しないように他の物品に再度貼付することができなくなる。これにより、マイクロチップ１と農産物２とが、最初に両者を対応付けて出荷した生産業者の意図に反して、物流の過程で互いに入れ替えられる恐れが低減される。
【００５１】
図１に示されるリーダライタ３、５、７（読み書き手段、小型半導体用リーダライタ）は、例えば数百ｋＨｚ乃至数ＭＨｚに設定された搬送周波数を有する起動用電波及び応答用電波をそれぞれ送受信する電磁誘導方式の電磁波送受信機能を備え、また、マイクロチップ１からの応答用電波から情報を抽出し、マイクロチップ１に書き込みを行なう読み書き機能を備えている。ところで、本実施の形態のリーダライタ３、５、７には、例えば特開２００２−１９７４１７号公報に記載されたリーダライタを用いてもよい。尚、本実施の形態の物流管理システムにおいては、読み書き手段としてのリーダライタ３、５、７が用いられているが、読み取り手段としてのリーダのみが用いられてもよい。リーダのみを用いる物流管理システムにおいても、読み取り手段としての機能を含む例えば本実施の形態のリーダライタ４、５、６を用いてよい。
【００５２】
図３に示されるように、生産業者用、流通業者用、及び販売業者用携帯電話機４、６、８は、通常の無線電話機能以外に情報処理装置としての機能を有する。即ち、リーダライタ３、５、７とのインターフェイス３１と、リーダライタ３、５、７及びインターネット１１を介してサーバ１０から受信した情報を蓄積するメモリ３２と、キー操作部３３及びその操作制御部３４と、メモリ３２内の情報を表示するディスプレイ３５及び表示制御部３６と、所定のプログラム及びこのプログラムを実行させる制御部３８とを備えている。
【００５３】
インターネット１１を介して通信可能な、図１に示されるサーバ１０は、インターネット１１を通して送受信される情報を保存するデータベース９と、所定のプログラム及びこのプログラムを実行させる制御部とを備えている。
【００５４】
本実施の形態において、農産物２の生産履歴及び物流履歴に関する情報（物流データ）は、サーバ１０に設けられたデータベース９に格納される物流ファイルに記録される。この物流ファイルは、例えば、農産物２の生産業者によって生産業者用携帯電話機４からサーバ１０に送信される物流データによって構成されてもよい。これにより、生産業者にとって、物流ファイルが、生産業者自身の作業日誌を兼ねることができるし、物流ファイルの内容がより充実する。例えば、生産履歴情報として、生産業者名、生産業者の電話番号、生産業者の加入団体、生産品目、生産場所、収穫日付、使用機材、関連機材、使用農薬、使用農薬量等が物流ファイルに記録される。また、生産業者用携帯電話機４がサーバ１０にアクセスする際に使用される生産業者ＩＤ（出荷者用ＩＤ）、生産業者用携帯電話機ＩＤ、パスワード等が物流ファイルに記録される。さらに、生産業者によって予め選定された流通業者名、及び農産物２を納品すべき販売業者名が物流ファイルに記録される。
【００５５】
また、農産物２の流通業者によって、流通業者用携帯電話機６からサーバ１０にデータが送信され、これらのデータが物流ファイルに書き加えられてもよい。これにより、流通業者にとって、物流ファイルが、流通業者自身の作業日誌を兼ねることができるし、物流ファイルの内容がより充実する。例えば、物流履歴情報として、流通業者名、流通業者の電話番号、品目、日付等が物流ファイルに記録され、さらに、流通業者用携帯電話機６がサーバ１０にアクセスする際に使用される流通業者ＩＤ（中間者用ＩＤ）、流通業者用携帯電話機ＩＤ、パスワード等が記録される。
【００５６】
また、農産物２の販売業者によって、販売業者用携帯電話機８からサーバ１０にデータが送信され、これらのデータが物流ファイルに書き加えられてもよい。これにより、販売業者にとって、物流ファイルが、販売業者自身の作業日誌を兼ねることができるし、物流ファイルの内容がより充実する。例えば、物流履歴情報として、販売業者名、販売業者の電話番号、品目、日付等が物流ファイルに記録され、さらに、販売業者用携帯電話機８がサーバ１０にアクセスする際に使用される販売業者ＩＤ（受領者用ＩＤ）、販売業者用携帯電話機ＩＤ、パスワード等が記録される。
【００５７】
本実施の形態においては、前記の物流ファイルに加えて、サーバ１０の有するプログラムの動作によって物流ファイルを暗号化して加工した閲覧専用ファイルが作成され、当該物流ファイルとともにデータベース９中に保存される。閲覧専用ファイルとは、例えば物流ファイルの生産履歴情報及び物流履歴情報を経時的に記述してテキスト化したものである。これにより、実質的に、同一の閲覧専用ファイルが作成されることはなく、閲覧専用ファイルによって個々の物流ファイルを特定できる。従って、物流ファイルの内容を読み取るだけの用途に対しては、例えば、この閲覧専用ファイルのサイズを縮小して、各業者の間で閲覧ファイルを効率的にやり取りすることも可能である。
【００５８】
また、閲覧専用ファイルは、生産履歴情報及び物流履歴情報の羅列であるという点で、各業者においてそのファイルの内容を認識することが可能とはなるが、各情報どうしの結合構造を有する物流ファイルを逆に閲覧専用ファイルのみから複号することは極めて困難となる。従って、サーバ１０の外部において物流ファイルを改ざんする可能性は極めて低い。
【００５９】
さらに、農産物２に貼付されたマイクロチップ１のチップＩＤと、当該農産物２の属性に関するデータの中から生産場所、生産ロット、生産時刻等とを組み合わせて、これを呼び出しキーとしておき、サーバ１０のデータベース９に記憶させておいてもよい。この呼び出しキーを用いて、農産物２の生産履歴情報等を例えば各業者の携帯電話機４、６、８に表示させることができる。例えば各業者の携帯電話機４、６、８においてチップＩＤが読み込まれたとき、このチップＩＤをトリガーとして、前記データベース９から、農産物２に関する属性データ等をＨＴＭＬ、ＸＭＬ形式等に従って生成し表示することで、通常のデータファイル転送や、データ表示ファイル先へのリンクのような手順を省略できる。よって物流管理がより効率化される。
【００６０】
後述するように、閲覧専用ファイルは、各業者の携帯電話機４、６、８のディスプレイ３５に表示される。また、サーバ１０には、各業者の携帯電話機４、６、８からアクセスされ、これらからキーワードが送信されると、このキーワードに一致するデータが記録された閲覧専用ファイルを引き出す検索エンジンもプログラムとして備えられている。
【００６１】
尚、前記の物流ファイルは、一つの農産物２に対応するものであるが、農産物２の納品先である販売業者毎に物流ファイルが作成されてもよい。これにより、生産業者が、農産物２の納品計画を作成し易くなる。この場合、一つの物流ファイルに複数の農産物２が記録され得る。従って、物流ファイルは、このような複数の農産物２それぞれに対して、生産履歴情報及び物流履歴情報が記録される構造をなす。
【００６２】
＝＝＝物流管理システムによる処理の流れ＝＝＝
＜＜＜生産業者による農産物の出荷＞＞＞
図４を参照しつつ、生産業者が農産物２を出荷する際に、生産業者用携帯電話機４にてサーバ１０にアクセスしてから、生産業者が農産物２にマイクロチップ１を貼付して出荷するまでの処理の流れを説明する。
【００６３】
生産業者が、生産業者を識別するための生産業者ＩＤ（出荷者用ＩＤ）及びパスワードを使用して、生産業者用携帯電話機４からサーバ１０にアクセスする（Ｓ１００）。サーバ１０は、生産業者ＩＤ及びアクセス時刻（アクセスに関する情報）をメモリに記憶する（Ｓ１０１）。次に、生産業者用携帯電話機４から、出荷すべき農産物２に係るいくつかのキーワードをサーバ１０に送信すると（Ｓ１０２）、サーバ１０は、データベース９からこのキーワードに一致するデータが記録された閲覧専用ファイルを検索する（Ｓ１０３）。この検索にヒットした閲覧専用ファイルがあれば、これがサーバ１０から生産業者用携帯電話機４に送信され（Ｓ１０４）、ディスプレイ３５にファイルの内容が表示される（Ｓ１０５）。生産業者用携帯電話機４のディスプレイ３５に表示された閲覧専用ファイルの内容の一例を図５に示す。図５に示されるように、ディスプレイ３５には、生産業者名、生産業者の加入団体、生産品目、生産場所、収穫日付、使用農薬といった生産履歴情報に加えて、生産業者によって予め選定された流通業者名（「○×卸業」）、及び農産物２を納品すべき販売業者名（「△○商店」）が表示されている。
【００６４】
図４に示されるように、生産業者が、生産業者用携帯電話機４に接続されたリーダライタ３から、マイクロチップ１に起動用電波を送信すると（Ｓ１０６）、マイクロチップ１はこの起動用電波を受信する（Ｓ１０７）。マイクロチップ１におけるＲＡＭ２４の８ビットのデータの初期値が例えば「０００」であるとすると、リーダライタ３から起動用電波を受信した後のデータは「００１」と一つ分だけ更新される。この更新は、マイクロチップ１内の制御回路２８により行なわれる。このデータ「００１」は、マイクロチップ１が一回目のアクセスを受けたことを表わしている（アクセス情報）。ＲＡＭ２４のデータ「００１」、及びＲＯＭ２３に記録されたチップＩＤは、応答用電波としてリーダライタ３に送信された後、さらに生産業者用携帯電話機４に送信される（Ｓ１０８）。これらのデータは、生産業者用携帯電話機４を介して（Ｓ１０９）、サーバ１０に受信される（Ｓ１１０）。サーバ１０は、データ「００１」及びチップＩＤを受信すると、メモリに記憶している物流ファイルに対して、同じくメモリに記憶している生産業者ＩＤ及びアクセス時刻とデータ「００１」とを記録する。また、サーバ１０は、この新たな物流ファイルに加えて、これを加工した閲覧専用ファイルを作成し、物流ファイル及び閲覧専用ファイルを、受信したチップＩＤとともに関連付けてデータベース９中に保存する（Ｓ１１１）。これにより、後述するように、サーバ１０がチップＩＤを受信すると、このチップＩＤに対応する物流ファイル及び閲覧専用ファイルを特定することが可能となる。
生産業者は、農産物２にマイクロチップ１を貼付して、販売業者まで輸送するべく、流通業者に引き渡す（Ｓ１１２）。
【００６５】
＜＜＜流通業者による農産物の輸送＞＞＞
図６を参照しつつ、マイクロチップ１の貼付された農産物２を生産業者から託された流通業者が、流通業者用携帯電話機６にてサーバ１０にアクセスしてから、農産物２を販売業者に納品するまでの処理の流れを説明する。
【００６６】
流通業者が、流通業者を識別するための流通業者ＩＤ（中間者用ＩＤ）及びパスワードを使用して、流通業者用携帯電話機６からサーバ１０にアクセスすると（Ｓ２００）、サーバ１０は、流通業者ＩＤ及びアクセス時刻をメモリに記憶する（Ｓ２０１）。
【００６７】
流通業者が、流通業者用携帯電話機６に接続されたリーダライタ５から、マイクロチップ１に起動用電波を送信すると（Ｓ２０２）、マイクロチップ１はこの起動用電波を受信する（Ｓ２０３）。起動用電波を受信したマイクロチップ１におけるＲＡＭ２４のデータは、マイクロチップ１内の制御回路２８によって、「００１」から「０１０」と一つ分だけ更新される。「０１０」は、マイクロチップ１が二回目のアクセスを受けたことを表わしている。ＲＡＭ２４のデータ「０１０」、及びＲＯＭ２３に記録されたチップＩＤは、応答用電波としてリーダライタ５に送信された後、さらに流通業者用携帯電話機６に送信される（Ｓ２０４）。これらのデータは、流通業者用携帯電話機６を介して（Ｓ２０５）、サーバ１０に受信される（Ｓ２０６）。サーバ１０は、データ「０１０」及びチップＩＤを受信すると、このチップＩＤと関連付けて保存されている物流ファイルをデータベース９から呼び出す。そして、このファイルに対して、メモリに記憶している流通業者ＩＤ及びアクセス時刻とデータ「０１０」とを記録する。サーバ１０は、この新たな物流ファイルに加えて、これを加工した閲覧専用ファイルを作成し、物流ファイル及び閲覧専用ファイルを、受信したチップＩＤとともに関連付けてデータベース９中に保存する（Ｓ２０７）。
【００６８】
さらに、流通業者の求めに応じて、前記の閲覧専用ファイルがサーバ１０から流通業者用携帯電話機６に送信され、図３に示される電話機６における制御部３８が有する所定のプログラムの動作により、ディスプレイ３５にファイルの内容の一部が表示されてもよい。これにより、流通業者が、農産物２の生産履歴を詳細に確認できる。この場合、流通業者用携帯電話機６のディスプレイ３５には、例えば、生産業者名、生産品目、生産場所といった生産履歴情報と、生産業者によって予め選定された流通業者名及び販売業者名とが表示されてもよい。さらに、ディスプレイ３５には、ＲＡＭ２４から読み取られたデータ「０１０」を農産物２に対するアクセス回数に変換したデータ（例えば「チップアクセス回数＝２回」）と、農産物２の出荷時の生産業者ＩＤ及びサーバ１０へのアクセス時刻と、流通業者自身の流通業者ＩＤ及びサーバ１０へのアクセス時刻とが表示されてもよい。
【００６９】
図６に示されるように、この後、流通業者は、マイクロチップ１の貼付された農産物２を販売業者に納品する（Ｓ２０８）。
【００７０】
＜＜＜販売業者による農産物の受領＞＞＞
図７を参照しつつ、販売業者が、マイクロチップ１の貼付された農産物２を流通業者から受領し、販売業者用携帯電話機８にてサーバ１０にアクセスしてから、農産物２の生産履歴情報及び物流履歴情報を、販売者用携帯電話機８のディスプレイ３５に表示させるまでの処理の流れを説明する。
【００７１】
販売業者が、販売業者を識別するための販売業者ＩＤ（受領者用ＩＤ）及びパスワードを使用して、販売業者用携帯電話機８からサーバ１０にアクセスすると（Ｓ３００）、サーバ１０は、販売業者ＩＤ及びアクセス時刻をメモリに記憶する（Ｓ３０１）。
【００７２】
販売業者が、販売業者用携帯電話機８に接続されたリーダライタ７から、マイクロチップ１に起動用電波を送信すると（Ｓ３０２）、マイクロチップ１はこの起動用電波を受信する（Ｓ３０３）。起動用電波を受信したマイクロチップ１におけるＲＡＭ２４のデータは、マイクロチップ１内の制御回路２８によって、「０１０」から「０１１」と一つ分だけ更新される。「０１１」は、マイクロチップ１が三回目のアクセスを受けたことを表わしている。ＲＡＭ２４のデータ「０１１」、及びＲＯＭ２３に記録されたチップＩＤは、応答用電波としてリーダライタ７に送信された後、さらに販売業者用携帯電話機８に送信される（Ｓ３０４）。これらのデータは、販売業者用携帯電話機８を介して（Ｓ３０５）、サーバ１０に受信される（Ｓ３０６）。サーバ１０は、データ「０１１」及びチップＩＤを受信すると、このチップＩＤと関連付けて保存されている物流ファイルをデータベース９から呼び出す。そして、このファイルに対して、メモリに記憶している販売業者ＩＤ及びアクセス時刻とデータ「０１１」とを記録する。サーバ１０は、この新たな物流ファイルに加えて、これを加工した閲覧専用ファイルを作成し、物流ファイル及び閲覧専用ファイルを、受信したチップＩＤとともに関連付けてデータベース９中に保存する（Ｓ３０７）。
【００７３】
次に、前記の閲覧専用ファイルが、サーバ１０から販売業者用携帯電話機８に送信され（Ｓ３０８）、電話機８における制御部３８が備える所定のプログラムの動作により、ディスプレイ３５にファイルの内容の一部が表示される（Ｓ３０９）。販売業者用携帯電話機８のディスプレイ３５に表示された閲覧専用ファイルの内容の一例を図８に示す。図８に示されるように、ディスプレイ３５には、生産業者名、生産品目、生産場所といった生産履歴情報と、生産業者によって予め選定された流通業者名及び販売業者名とが表示される。さらに、ディスプレイ３５には、ＲＡＭ２４から読み取られたデータ「０１１」を農産物２に対するアクセス回数に変換したデータ（例えば「チップアクセス回数＝３回」）と、農産物２の出荷時の生産業者ＩＤ及びサーバ１０へのアクセス時刻と、流通業者ＩＤ及びサーバ１０へのアクセス時刻と、販売業者自身の販売業者ＩＤ及びサーバ１０へのアクセス時刻とが表示される。
【００７４】
図８に示される例では、ＲＡＭ２４へのアクセス回数と、各業者のＩＤ及びサーバ１０へのアクセス時刻を一組とした組数と、予め選定された流通業者及び販売業者に生産業者を加えてなる業者数とが全て一致している。ここで、図８に示される例では、前記のアクセス回数、組数、及び業者数は「３」である。
【００７５】
もし、農産物２の輸送に複数の流通業者が仲介する場合に、ある流通業者が不正に飛ばされた場合には（中抜き）、前記のアクセス回数及び組数は互いに等しいが、このアクセス回数及び組数は、生産業者によって予め選定された業者数よりも小さな数となって記録される。従って、本実施の形態の物流管理システムにおいて、このような中抜き行為があるとすれば、これは前記のアクセス回数及び組数と業者数との相違により直ちに判明し、しかもどの流通業者が飛ばされたかも判明する。何故ならば、飛ばされた流通業者のＩＤは記録されていないからである。ここで、閲覧専用ファイルを作成する際に、サーバ１０がこのような不正行為を判定して、不正の有無に関するデータをファイルに書き込み、販売業者用携帯電話機８に送信し、販売業者用携帯電話機８が、ディスプレイ３５に不正の有無を表示してもよい。これにより、販売業者が、物流の過程における不正の有無を即座に知ることができる。
【００７６】
また、マイクロチップ１のＲＯＭ２３に記録されたチップＩＤとＲＡＭ２４に更新記録されたアクセス回数とをともに偽造することは極めて困難である。従って、例えば流通業者が、生産業者から託された農産物２に貼付されたマイクロチップ１を介して、見かけ上適切な物流ファイルをサーバ１０のデータベース９上に残し、販売業者に納品する直前に別な農産物２を用意しても、これに貼付すべき偽造マイクロチップの作成が極めて困難であるが故に、本実施の形態のシステムにおいて発覚しない不正表示を行なうことは極めて困難となる。このような不正の発覚は、前述のように、マイクロチップ１の粘着手段が一旦剥離されると再度使用できない構造を有していることによって、より効果的に行なわれる。
【００７７】
さらに、各業者の携帯電話機４、６、８のディスプレイ３５に一部又は全体が表示される閲覧専用ファイルは、前述のように、物流ファイルが暗号化されたものであるため、サーバ１０の外部で物流データを改ざんすることは極めて困難である。これと、マイクロチップの偽造の困難さとを組み合わせれば、本実施の形態において、物流上の不正を行なうことは、より困難となる。
【００７８】
販売業者が受領した農産物２に貼付されたマイクロチップ１は、物流が終了した時点で、粘着手段の箇所にて農産物２から剥離され、これを、例えば前述の物流管理者が回収してもよい。マイクロチップ１のＲＯＭ２３に記録されたチップＩＤは、マイクロチップ１自身を識別するＩＤであるから、マイクロチップ１の再利用が可能である。例えば、物流管理者によって、ＲＡＭ２４のアクセス記録を「０００」とリセットし、粘着手段を新品と交換してから、再度、生産業者に配布してもよい。生産業者は、農産物に限らず、水産物、加工食品、工業製品等のいかなる物品の生産業者であってもよい。これにより、マイクロチップ１を使用する物流コストの削減ができる。また、使用済みのマイクロチップ１を廃棄しないことにより、環境に負荷をかけない物流が実現できる。
【００７９】
尚、図１に示されるように、本実施の形態における物流管理システムには、農産物２を販売者から購入する消費者が関わってもよい。ここで、消費者は、マイクロチップ１に対してリーダライタ７１０を介して情報を読み書きする端末をなす消費者用携帯電話機８１０を有する。このリーダライタ７１０及び消費者用携帯電話機８１０の構成及び機能は、販売業者の有するリーダライタ７１０及び販売業者用携帯電話機８の構成及び機能と略等しくてもよい。これにより、例えば、消費者が、自身の購入する農産物２の係る物流の過程をチェックすることができる。
【００８０】
＝＝＝複数の商品を格納する容器からなる物品の流通＝＝＝
＜＜＜システムの構成＞＞＞
図９乃至図１１を参照しつつ、前述したマイクロチップを貼付する対象が、複数の商品を梱包した箱（１又は複数の商品を格納する容器）であるときの物流管理システムについて説明する。本実施の形態においては、例えば５０個の商品２０１乃至２５０が梱包された箱２００からなる物品の流通について述べる。尚、図９においては、商品２０５乃至２５０の具体的な記載は省略されている。
【００８１】
図９において、本実施の形態の物流管理システムの構成例を示す。同図に示されるように、本実施の形態の物流管理システムは、生産業者用携帯電話機（出荷者用情報処理装置）４と、流通業者用携帯電話機（中間者用情報処理装置）６と、販売業者用携帯電話機（受領者用情報処理装置）８と、消費者用携帯電話機８１、８２、８３と、サーバ１０とを備えてなっている。ここで、生産業者用携帯電話機４は、物品を生産する生産業者により使用されるものである。また、流通業者用携帯電話機６は、物品を輸送する流通業者により使用されるものである。また、販売業者用携帯電話機８は、物品を商品２０１乃至２５０として小売りする販売業者により使用されるものである。また、消費者用携帯電話機８１、８２、８３は、商品２０１乃至２５０を購入する消費者により使用されるものである。また、サーバ１０は、各業者（生産業者、流通業者、販売業者）及び消費者にデータベース９内の情報を提供するものである。また、各業者の携帯電話機（生産業者用携帯電話機、流通業者用携帯電話機、販売業者用携帯電話機）４、６、８、及び消費者用携帯電話機８１、８２、８３は、インターネット１１（情報通信ネットワーク）を介してサーバ１０と通信可能となっている。図９に示されるように、１個のマイクロチップ（小型半導体）１００が、箱２００の外側に適宜に貼付されている。このマイクロチップ１００は、当該マイクロチップ１００自身を識別するチップＩＤを記憶するＲＯＭ（読み取り専用メモリ）を少なくとも備えている。このＲＯＭに記憶されたチップＩＤを読み取るためのリーダライタ３、５、７が、各業者の携帯電話機４、６、８に備えられている。ここで、マイクロチップ１００のさらなる構成（例えば、ＲＡＭ）、各業者の携帯電話機４、６、８の構成、及びリーダライタ３、５、７の構成は、前述した実施の形態の場合と同様とする。
【００８２】
尚、本実施の形態においては、５０個の商品２０１乃至２５０が箱２００に梱包されているとしたが、これに限定されるものではない。一般にＮ個（Ｎは２以上の整数）の商品が箱２００に梱包されていてよい。また、箱２００は、１又は複数の商品を要素とする１つの集合体をなすものであればいかなる形態を有するものでもよい。
【００８３】
また、図９においては、消費者用携帯電話機８１、８２、８３を３つ例示したが、これに限定されるものではなく、本実施の形態の物流管理システムは、一般にＭ個（Ｍは１以上の整数）の消費者用携帯電話機を備えてよい。後述するように、消費者用携帯電話機８１、８２、８３は、通信のための適宜な手段の他に、ディスプレイ８１ａ、８２ａ、８３ａを有する。また、消費者用携帯電話機８１、８２、８３は、物品の物流データを含むホームページをディスプレイ８１ａ、８２ａ、８３ａに表示させる適宜なプログラムを格納するための適宜なメモリを備えている。
【００８４】
ところで、後述するように、各商品２０１乃至２５０には、箱２００を識別するためのチップＩＤと、当該各商品２０１乃至２５０を識別するための商品用ＩＤとに関する情報が記載されたラベル（商品用タグ）１０１乃至１５０が貼付されている。本実施の形態においては、このラベル１０１乃至１５０への前記の情報の記載（印字）は、サーバ１０の有するプリンタ３００によって行われるものとする。本実施の形態においては、マイクロチップ１００の箱２００に対する貼付は生産業者によって行われ、ラベル１０１乃至１５０の各商品２０１乃至２５０に対する貼付は販売業者によって行われるものとする。但し、これに限定されるものではなく、例えば、生産業者が出荷時にラベル１０１乃至１５０を各商品２０１乃至２５０に対して貼付してもよい。
【００８５】
＜＜＜データベースの構成＞＞＞
図１０に示されるように、サーバ１０のデータベース９には、マイクロチップ１００自身を識別するためのチップＩＤとして、例えば”１００１８２７６４３７３６”なるデータが記憶されている。また、同図に示されるように、データベース９には、このチップＩＤに対して”ｗｗｗ．ａｂｃｄ．１０００１”から”ｗｗｗ．ａｂｃｄ．１００５０”までの５０個の商品用ＩＤのデータが関連付けられて記憶されている。詳しくは、商品用ＩＤにおける共通部分である”ａｂｃｄ”がチップＩＤに対応し、商品用ＩＤにおける連番部分である”１０００１”乃至”１００５０”が５０個の商品２０１乃至２５０と対応している。この共通部分”ａｂｃｄ”は、チップＩＤのデータに基づいて、サーバ１０のデータベース９に格納された適宜なプログラムの動作によって作成される。また、連番部分は、例えば生産業者から入力される商品２０１乃至２５０の個数（５０）のデータに基づいて、例えばハッシュ（ｈａｓｈ）関数を備えた適宜なプログラムの動作によって作成される。このプログラムも、サーバ１０のデータベース９に格納されている。このようにして、本実施の形態の商品用ＩＤは、物品の物流データを含むホームページのＵＲＬ（”ｗｗｗ．ａｂｃｄ．１０００１乃至１００５０”）として、サーバ１０において作成される。このＵＲＬは、サーバ１０の有するプリンタ３００によって各ラベル１０１乃至１５０に印字される。前記を総括して述べると、データベース９には、前記のチップＩＤと、前記の５０個の商品用ＩＤと、前述した実施の形態の場合と同様の物流データとが関連付けられて記憶されることとなる。後述するように、データベース９には、これらの情報の一部をホームページに表示するためのリソース（リソース・レコード）が適宜格納されることとなる。尚、本実施の形態においては、例えば商品２０１乃至２５０の物流に関する情報、即ち物流データには、当該商品２０１乃至２５０の原材料名及びその量（商品に関する情報）に関する詳細な情報が含まれるものとする。但し、物流データを物品又は商品の流通に関する情報のみとし、当該物品又は商品の原材料名及びその量といった商品に関する情報と別の情報としてもよい。原材料等に関する情報は消費者の大きな関心事ではあるが、詳細な情報を例えば小さな商品に表示するのは困難である。本実施の形態においては、各商品２０１乃至２５０への表示は例えばＵＲＬのみであり、原材料等の詳細な情報はデータベース９中に格納されるため、前記の困難が解消されるものである。
【００８６】
＜＜＜システムの動作＞＞＞
前述した構成を有する物流管理システムにおいて、マイクロチップ１００の貼付された箱２００に梱包された商品２０１乃至２５０が生産業者によって出荷されてから、当該商品２０１乃至２５０の物流に関する情報が消費者によって閲覧されるまでの動作を説明する。
【００８７】
生産業者が箱２００に梱包された商品２０１乃至２５０を出荷してから販売業者が当該箱２００の物流に関する情報を閲覧するまでの処理の流れは、前述した実施の形態の農産物２の場合（図４、図６、及び図７）と同様である。つまり、本実施の形態における箱２００の物流は、前述した実施の形態における農産物２の物流において当該農産物２を当該箱２００に置き換えたものと同じである。よって、以後、販売業者用携帯電話機８のディスプレイ３５に箱２００の物流に関する情報が表示された時点（これは、図７のステップＳ３０９に対応する）を起点として説明する。
【００８８】
本実施の形態においては、例えば販売業者が箱２００を開梱し、当該箱２００に梱包されていた各商品２０１乃至２５０を小売りするものとする。前記の小売り時には、各商品２０１乃至２５０には、サーバ１０から発行されたラベル１０１乃至１５０が、販売業者によって貼付されている。
【００８９】
例えば、図９に示されるように、ラベル１０１が貼付された商品２０１を購入した消費者によって、消費者用携帯電話機８１がサーバ１０にアクセスするときを考える。消費者用携帯電話機８１からサーバ１０に対して、ラベル１０１のＵＲＬ”ｗｗｗ．ａｂｃｄ．１０００１”が送信されると、サーバ１０のデータベース９にて当該ＵＲＬと関連付けられた物流データ（図１０）に基づいた情報をリソースとするホームページがサーバ１０のディスプレイ８１ａに表示される。図１１に、この表示内容の一例を示す。同図に示されるように、ディスプレイ８１ａには、”ｗｗｗ．ａｂｃｄ．１０００１”の”ａｂｃｄ”に関連付けられたチップＩＤにて識別されるマイクロチップ１００が貼付された箱２００の物流データ及び商品２０１乃至２５０の個数（５０）が表示される。前述したように、この物流データには、商品２０１乃至２５０の原材料名及びその量に関する情報が含まれている。
【００９０】
本実施の形態においては、前述した実施の形態の農産物２を箱２００にて置き換えることによって、前述した実施の形態において当該農産物２に対して奏される効果が、当該箱２００に対して同様に奏される。加えて、本実施の形態においては、例えば小売り時の個数が多いが故に個々の物流を追跡することが困難な商品についても、当該商品を要素とする集合体としての箱の物流まで追跡が可能である。このような物流の追跡に関する信頼度は、例えば箱２００が開梱された痕跡を残すような適宜な構成を有することによって、より向上する。つまり、開梱の痕跡を残せる箱２００において当該開梱の痕跡がなければ、当該箱２００の物流データを、小分けされるまでの商品２０１乃至２５０の物流データと同じものとみなすことができる。一方、開梱の痕跡を残せる箱２００において当該開梱の痕跡があっても、当該箱２００の物流データの少なくとも一部は、当該開梱されるまでの商品２０１乃至２５０の物流データと同じものとみなすことができる。よって、商品２０１乃至２５０が梱包された状態で流通する限り、サーバ１０は、個々の商品２０１乃至２５０に関する物流データではなく、１つの箱２００の物流データを処理すればよいこととなる。これにより、サーバ１０における物流データの処理が低減されるとともに、データベース９の容量の低減も可能となる。従って、物流管理の高効率化及び低コスト化が実現できる。
【００９１】
さらに、消費者は、例えば自身の携帯電話機８１、８２、８３の適宜なメモリに、例えばサーバ１０から提供される適宜なブラウザをダウンロードすることによって、例えば商品２０１乃至２５０に関する情報を含む当該商品２０１乃至２５０の物流に関する情報を容易に得ることができる。これは、物流管理の高効率化につながる。
【００９２】
尚、本実施の形態においては、ラベル１０１乃至１５０に印字する情報をＵＲＬとしたが、これに限定されるものではない。広くは、商品２０１乃至２５０を梱包する箱２００に貼付されるマイクロチップ１００を識別するチップＩＤに対応する情報と、当該各商品２０１乃至２５０を識別する情報とが対応付けられる形式であれば、いかなる形式を有する情報でもよい。例えば前記の情報を記憶する適宜なメモリを備えたマイクロチップ（小型半導体）を、例えばサーバ１０の管理者が準備し、当該マイクロチップを例えば販売業者が各商品２０１乃至２５０に貼付してもよい。印字用のラベル等に比べてマイクロチップは偽造が困難であるために、より効果的に物流の管理ができる。
【００９３】
また、本実施の形態においては、商品２０１乃至２５０を梱包する箱２００に貼付されるマイクロチップ１００を識別するチップＩＤに対応する情報と、当該各商品２０１乃至２５０を識別する情報とを対応付けられる形式を有する情報を当該各商品２０１乃至２５０に付与したが、これに限定されるものではない。例えば、各商品２０１乃至２５０を識別する５０個分の情報を適宜なメモリに記憶したマイクロチップ（小型半導体）を箱２００に貼付してもよい。このようにすれば、各商品２０１乃至２５０の５０個分の情報と箱２００に貼付されるマイクロチップの情報とを容易に関連づけることができる。
【００９４】
さらに、本実施の形態においては、１つの箱２００に１つのマイクロチップ１００が貼付され、よって当該箱２００には１つのチップＩＤが対応するとしたが、これに限定されるものではない。例えば、マイクロチップがそれぞれに貼付された１又は複数の箱を１つにまとめてこれをさらに大きな１つの集合体とし、当該集合体に対して、所定のチップＩＤが適宜なメモリに記憶された１つのマイクロチップを貼付してもよい。この場合、例えば、まとめる前の各箱に対応するチップＩＤを全て含むＩＤを前記の所定のＩＤとすればよい。
【００９５】
加えて、本実施の形態においては、各業者の携帯電話機４、６、８は、適宜なブラウザ等を備え、例えば各業者の手元に物品（箱２００）がなくても、前述したチップＩＤである”１００１８２７６４３７３６”（図１０）をサーバ１０に送信すれば、当該物品に関する当該送信時における最新の物流データを受信できるとしてもよい。これにより、物流の透明性がより高まる。
【００９６】
さらに加えて、本実施の形態においては、所定のマイクロチップ１、１００に所定のリーダライタ３、５、７が適用されない場合には、例えばチップＩＤ等の情報にスクランブルが施されて読み取り不可能となるための適宜な手段を、当該リーダライタ３、５、７が備えていてもよい。換言すれば、所定のマイクロチップ１、１００に所定のリーダライタ３、５、７が適用されたときに限って、前記のスクランブルが解除されるための適宜な手段を、当該リーダライタ３、５、７が備えていてもよい。また、このようなスクランブルは、マイクロチップ１、１００における所定の情報について施されるものとしてもよい。これにより、物流に関する情報を、当該物流の部外者から保護することができる。
【００９７】
尚、本実施の形態においては、マイクロチップ１００を箱２００に貼付したが、これに限定されるものではない。例えば、このマイクロチップ１００を箱２００の中身の商品に貼付し、当該マイクロチップ１００のチップＩＤと対応付けられたＵＲＬが記載されたラベル等を箱２００に貼付してもよい。前記の商品を、本発明において物流を管理すべき物品とみなせば、前述の実施の形態において奏される効果が奏される。箱２００に前記のラベルが貼付されていれば、当該箱２００を頻繁に開梱することなく、商品の物流を管理できる。
【００９８】
また、本実施の形態においては、１つのマイクロチップ１００が貼付された１つの箱２００に商品２０１乃至２５０が梱包され流通するものとしたが、これに限定されるものではない。例えば、商品２０１乃至２５０が、物流の過程で前記と異なるマイクロチップが貼付された前記と異なる箱に移し替えられるものとしてもよい。この場合、前記の別のマイクロチップのＲＯＭ又はサーバ１０のデータベース９には、マイクロチップ１００のＲＯＭ２０３に記憶されたデータがさらに記憶されるものとすればよい。これにより、箱への移し替えがあっても、商品の物流が管理できる。
【００９９】
さらに、物品の流通の前に例えば当該物品の受領者が予定されている場合には、当該受領者用ＩＤを物流データに含め、適宜開示してもよい。このようにすれば、物品の流通に関する情報を効果的に開示し効率的に運用できる。
【０１００】
＝＝＝小型半導体の第二の実施の形態＝＝＝
＜＜＜情報処理部＞＞＞
前述した実施の形態における農産物２（図１）、箱２００（図９）、当該箱に梱包された商品２０１乃至２５０（図９）等に貼付されるマイクロチップ（小型半導体）１、１００は、マイクロコンピュータとして動作してもよい。ここで、マイクロコンピュータとは、ＲＯＭと、ＲＡＭと、例えば当該ＲＯＭに記憶された適宜なプログラムを実行するといった高機能なＣＰＵ（情報処理部）とから構成されるものである。図２に示される制御部２８を前記の高機能なＣＰＵ２８とみなせば、前述した実施の形態のマイクロチップ１、１００はマイクロコンピュータとなる。前記の高機能をさらに具体的に述べれば、後述するように、温度検知素子やＡＤコンバータ等を通じて、マイクロチップ１、１００は、貼付された物品又は商品の温度のデータを取得し履歴情報として管理する。さらに、後述するように、マイクロチップ１、１００は、当該マイクロチップ１、１００に対する全アクセス履歴のデータをＲＡＭ２４（図２）に蓄積したり、ＲＯＭ２３（図２）又はＲＡＭ２４に記憶されたデータにスクランブルを施した状態でリーダライタ３、５、７等に出力させたりする。
【０１０１】
例えば、ワクチン、冷凍食品、生鮮食品、ワイン等、保管及び流通の段階で厳密に温度管理が必要な物品又は商品においては、生産業者から消費者に渡るまでの温度履歴の情報が重要である。そこで、本実施の形態のマイクロチップ１、１００が、適宜な温度検知素子からの出力をＡＤ変換するためのＡＤコンバータをさらに搭載するものとする。ここで、温度検知素子は、例えばサーミスタであり、マイクロチップ１、１００の外部にあってＡＤコンバータと接続可能なものであってもよいし、マイクロチップ１、１００に内蔵されるものであってもよい。また、ＡＤコンバータは、温度検知素子から出力されるアナログ信号を、ＣＰＵ２８による処理が可能なデジタル信号からなるデータに変換するものである。このような温度履歴を前述した物流データに加え、当該物流データを前述したシステムにおいて消費者等に開示すれば、物品又は商品の品質等に関する信頼性が向上する。また、このような温度履歴は、物品又は商品の物流の追跡にも有用となり得る。つまり、物品又は商品の温度履歴が、当該物品又は商品の予定されていた物流の履歴と矛盾しないものであるか否かを確認することによって、当該物品又は商品の物流の正当性を判断できる。例えば、冷凍庫にて運搬された物品又は商品に貼付されたマイクロチップ１、１００の有する温度データは氷点下のはずである。
【０１０２】
また、前述したマイクロチップ１、１００を用いれば、例えば複数の流通業者の関わった全ての履歴を当該ＲＡＭに記憶させることができる。例えば、このようなマイクロチップ１、１００が、流通業者（Ａ）、流通業者（Ｂ）、流通業者（Ｃ）、及び流通業者（Ｄ）の有する各携帯電話機によってアクセスされるものとする。例えば、これらの流通業者の携帯電話機を識別するＩＤを、ＩＤ（Ａ）、ＩＤ（Ｂ）、ＩＤ（Ｃ）、及びＩＤ（Ｄ）とするとき、各アクセス毎にマイクロチップ１、１００に入力されるＩＤを、ＩＤ（Ａ）と、ＩＤ（Ａ）・ＩＤ（Ｂ）と、ＩＤ（Ａ）・ＩＤ（Ｂ）・ＩＤ（Ｃ）と、ＩＤ（Ａ）・ＩＤ（Ｂ）・ＩＤ（Ｃ）・ＩＤ（Ｄ）といった形式にて、当該入力の順序がわかるようにＣＰＵ２８によって処理し、ＲＡＭ２４に記憶させる。つまり、ＣＰＵ２８は、マイクロチップ１、１００にアクセスした全流通業者のＩＤ及び当該アクセスの順序を当該マイクロチップ１、１００自身に記憶させることとなる。このように、マイクロチップ１、１００がサーバ１０（図１）の機能の一部を担うことにより、当該サーバ１０のデータベース９を度々参照する必要がなくなり、物流管理がより効率的になる。
【０１０３】
さらに、前述したマイクロチップ１、１００において、所定のマイクロチップ１、１００に所定のリーダライタ３、５、７が適用されない場合には、例えばチップＩＤ等の情報にスクランブルが施されて読み取り不可能となるための適宜な処理をするようにＣＰＵ２８が動作してもよい。換言すれば、所定のマイクロチップ１、１００に所定のリーダライタ３、５、７が適用されたときに限って、前記のスクランブルが解除されるための適宜なプログラムを、例えばＲＯＭ２３が記憶していてもよい。また、このようなスクランブルは、マイクロチップ１、１００における所定の情報について施されるものとしてもよい。これにより、物流に関する情報を、当該物流の部外者から保護することができる。
【０１０４】
加えて、マイクロチップ１、１００のＲＡＭ２４に記憶されるデータについて、直接暗号化を施してもよい。即ち、ＲＯＭ２３から適宜な暗号化プログラムをマイクロチップ１、１００が読み出して実行することにより、前記のデータの暗号化を図る。これにより、物流に関する情報を、当該物流の部外者から保護することができる。
【０１０５】
前述したマイクロチップは、シリコン（Ｓｉ）、ゲルマニウム（Ｇｅ）、ガリウム砒素（ＧａＡｓ）、炭素クラスタ（Ｃ７０）等の主として無機物質からなる半導体に限定されるものではない。マイクロチップは、例えば、合成ＤＮＡや糖タンパク等を主たる成分とし半導体の特性を有する記憶媒体又は情報処理媒体であってもよい。また、例えば、マイクロチップは、微小電圧の印可によって絶縁体から導電体に遷移できる物質からなる記憶媒体又は情報処理媒体であってもよい。さらに、例えば、マイクロチップは、電子エネルギー準位におけるバンド幅が前記の無機物質からなる半導体のバンド幅と近似した物質からなる記憶媒体又は情報処理媒体であればいかなるものでもよい。
【０１０６】
＜＜＜貼りかえ防止＞＞＞
また、マイクロチップの貼りかえの恐れのある外面を有する物品又は商品のロットを想定する。例えばこのロット中のいくつかの物品又は商品の内部に、外面に貼付される前述したマイクロチップとは別のマイクロチップを予め入れておく。前記の内部のマイクロチップのチップＩＤのデータは、前記の外面に貼付されるマイクロチップのチップＩＤのデータと互いに関連付けられている。内部にマイクロチップが入れられた物品又は商品の流通において、外面に貼付されたマイクロチップのチップＩＤをリーダライタで読み取る際に、当該リーダライタは当該内部のマイクロチップのチップＩＤも同時に読み取るものとする。ここで、リーダライタ又は当該リーダライタが備えられた携帯電話機等は、外面に貼付されたマイクロチップのチップＩＤと、内部に入れられたマイクロチップのチップＩＤとの関連付けを認識する適宜な手段を有するものとする。リーダライタ又は当該リーダライタが備えられた携帯電話機等は、もし前記の関連付けが認められないとき、物品又は商品の外面に貼付されたマイクロチップに貼りかえ等の不正があった旨を前記の読み取り動作を行う者に通知するアラーム等を備えてもよい。また、このリーダライタ又は当該リーダライタが備えられた携帯電話機等は、前記の旨をサーバにも通知するようになっていてもよい。これにより、本発明の物流管理システムにおいて、もしマイクロチップが貼りかえられることがあっても、これが発覚し易くなる。これは、マイクロチップの貼りかえといった不正を抑止する効果も奏する。よって、物流管理の信頼性が向上する。
【０１０７】
さらに、商品情報以外にチップＩＤに対して、ロット（グループ化）情報或いはロットに関連したシリアルナンバーをサーバ側で配し、その商品ロットが流通した場合に、ロットでの分配を次々に記述し、最終的に他のロットとの衝突があった場合に、アラームを発生させサーバ側に通知する。これにより、本発明の物流管理システムにおいて、もしマイクロチップが貼りかえられることがあっても、これが発覚し易くなる。これは、マイクロチップの貼りかえといった不正を抑止する効果も奏する。よって、物流管理の信頼性が向上する。
【０１０８】
＝＝＝その他＝＝＝
図１２に示されるように、生産者（出荷者）から流通業者（中間者）を経て消費者（受領者）に至るまでの農産物（物品）の物流を管理するシステムについて説明する。これは、生産者から消費者が直接、農産物を購入するシステムを表わす。
生産者においては、生産者に関連して暗号化されたＩＤをデータベースにて参照し、生産者によるＩＣチップ（小型半導体）へのアクセスの有無をＲＡＭ信号化して、このＩＣチップに記述する。また、アクセスログをデータベースに記述する。ＩＣチップ中のＲＡＭ及びＲＯＭに対しては、リーダー／ライター（読み書き手段）によって読み取り及び書き込みが行なわれる。さらに、暗号化コード化した生産履歴（物流データ）は、このＲＯＭ固有情報（半導体用ＩＤ）に対応付けられる。
【０１０９】
図１２に示されるように、生産者から出荷された農産物を受取った流通業者においては、流通業者に関連して暗号化されたＩＤをデータベースにて参照し、流通業者によるＩＣチップへのアクセスの有無をＲＡＭ信号化して、このＩＣチップに記述する。また、アクセスログをデータベースに記述する。さらに、暗号化コード化した生産履歴を、このＲＯＭ固有情報に対応付ける。
流通業者が提供した農産物を購入した消費者は、暗号化コード化した生産履歴を、このＲＯＭ固有情報に対応付け、ＲＡＭ情報記述経路から、出荷及び流通の経路を確認する。
このようなシステムによれば、アクセスログのみを書き込むために、データの量が少なくてすむ。また、ＩＣチップに固有のＩＤと暗号化された生産履歴とが一度、対称化されれば、データトラフィック量は極めて少なくてすむ。さらに、このようなシステムの外からのデータ改ざんが物理上不可能である。
【０１１０】
図１３を参照しつつ、「生産」、「流通」、及び「食卓」までの農産物の流れについて説明する。図１３に示されるように、生産現場において、農産物の栽培、収穫、及び出荷が行なわれる。出荷時に生産履歴との照会１２３を生産履歴から取得し暗号化する。この暗号化データをＩＣチップに固有のＩＤと対応付ける。そして、前記の暗号化したものをデータベースに書き込む。
「流通」においては、配送、仕分、及び納品が行なわれる。ＩＣチップの複号と同時に照会１２３を暗号化し、これらをデータベースに書き込む。「食卓」においては、消費及び加工が行なわれる。データベースにアクセスし、ＩＣチップを複号し、生産履歴及び流通経路を閲覧する。
【０１１１】
図１３に示されるように、生産データのデータ要素の種別とその結合様式を格納する。データベースへのアクセスの有無をチップへ書き込む。携帯端末ＩＤを格納する。入力者ＩＤを格納する。また、流通業者ＩＤを格納する。前記のデータベースを更新したデータベースアクセスの有無をチップに書き込む。携帯端末ＩＤを格納する。入力者ＩＤを格納する。
【０１１２】
物流データの暗号化方式として、図１４に示すような形態が挙げられる。また、データベースとして、図１５に示すような形態が挙げられる。
尚、生産者又は物品を特定するＩＤが複合する場合、即ち生産者が異なる又は品目（物品）が複数の場合、図１６に示すような形態でもよい。栽培及び収穫において一定条件で栽培し、履歴より検証する。各品目で同質、及び同程度などの条件のものを同一条件で抽出の上で集積する。
【０１１３】
図１６に示されるように、倉庫にて入庫したチップを全て読み込む。即ち、ロット登録する。出荷時には、複数ＩＤ品を集計して管理する。この際、データベース検索機能により、ロットＩＤと出庫量との整合を確認する、即ちロット条件を確認する。
ＩＣチップ回収の利点として、生産からの経路がいもづる式に検索できることが挙げられる。これにより、ＩＣチップ複製不能化を施す暗号化によるセキュリティ技術に加えて複号から認識した経路を遡ることが可能となる。
また、消費者からのクレームや購入動機がバーコード読み取りよりも多角的に検索可能である。即ち、バーコードでは検証できない様々な角度から追求が可能である。
【０１１４】
生産者用、流通業者用、及び消費者用の携帯電話機のディスプレイの表示例として、図１７乃至１９に示すような形態が挙げられる。図１７には、生産者用携帯電話機のディスプレイに表示された生産履歴情報及び物流履歴情報の一例が示されている。図１８には、流通業者用携帯電話機のディスプレイに表示された生産履歴情報及び物流履歴情報の一例が示されている。図１９には、消費者用携帯電話機のディスプレイに表示された生産履歴情報及び物流履歴情報の一例が示されている。
【０１１５】
【発明の効果】
物流に携わる流通業者の不正行為の発覚及び追跡が可能となり、当該物流に使用される小型半導体の再利用が可能となる。
【図面の簡単な説明】
【図１】本実施の形態における物流管理システムの全体構成図である。
【図２】本実施の形態におけるマイクロチップの電気的構成を示す機能ブロック図である。
【図３】本実施の形態における携帯電話機の電気的構成を示す機能ブロック図である。
【図４】本実施の形態における生産業者による農産物出荷時の処理を説明するフローチャートである。
【図５】本実施の形態における生産業者用携帯電話機のディスプレイに表示された生産履歴情報及び物流履歴情報の一例を示す図である。
【図６】本実施の形態における流通業者による農産物納品までの処理を説明するフローチャートである。
【図７】本実施の形態における販売業者による農産物受領後の処理を説明するフローチャートである。
【図８】本実施の形態における販売業者用携帯電話機のディスプレイに表示された生産履歴情報及び物流履歴情報の一例を示す図である。
【図９】本実施の形態における物流管理システムのもう一つの全体構成例を示す図である。
【図１０】本実施の形態における物流管理システムを構成するサーバの有するデータベースに格納された物流データのもう一つの構成例を示す図である。
【図１１】本実施の形態における消費者用携帯電話機のディスプレイに表示されたホームページの一例を示す図である。
【図１２】物流管理システムの一例を示す全体構成図である。
【図１３】生産者から消費者に至るまでの物流の処理の一例を説明する図である。
【図１４】暗号化の方式の一例を示す図である。
【図１５】データベースの一例を示す図である。
【図１６】ＩＤの結合の一例を説明する図である。
【図１７】生産者の携帯電話機のディスプレイに表示された物流データの一例を示す図である。
【図１８】流通業者の携帯電話機のディスプレイに表示された物流データの一例を示す図である。
【図１９】消費者の携帯電話機のディスプレイに表示された物流データの一例を示す図である。
【符号の説明】
１  マイクロチップ                ２  農産物
３、５、７、７１０  リーダライタ
４  生産業者用携帯電話機          ６  流通業者用携帯電話機
８  販売業者用携帯電話機      ８１０  消費者用携帯電話機
９  データベース                １０  サーバ
１１  インターネット            ２２  アンテナ
２３  ＲＯＭ                    ２４  ＲＡＭ
２５  送受信部                  ２６  電源回路
２７  受信回路                  ２８  制御回路
２９  送信回路                  ３１  インターフェイス
３２  メモリ                    ３３  キー操作部
３４  操作制御部                ３５  ディスプレイ
３６  表示制御部                ３８  制御部
【図１】
2004210543.tif 000003
【図２】
2004210543.tif 000004
【図３】
2004210543.tif 000005
【図４】
2004210543.tif 000006
【図５】
2004210543.tif 000007
【図６】
2004210543.tif 000008
【図７】
2004210543.tif 000009
【図８】
2004210543.tif 000010
【図９】
2004210543.tif 000011
【図１０】
2004210543.tif 000012
【図１１】
2004210543.tif 000013
【図１２】
2004210543.tif 000014
【図１３】
2004210543.tif 000015
【図１４】
2004210543.tif 000016
【図１５】
2004210543.tif 000017
【図１６】
2004210543.tif 000018
【図１７】
2004210543.tif 000019
【図１８】
2004210543.tif 000020
【図１９】
2004210543.tif 000021